(57)【要約】【課題】大型化することなく焦点検出光路中のごみを清掃することのできるようにした焦点検出装置を提供する。【解決手段】ＱＲミラー２及び反射鏡３のアップ・ダウン動作に連動して、清掃部材１０に具備されたブラシ部１０ｂがＡＦユニット４に具備された赤外カットフィルター４ａの表面を清掃する。【選択図】図１
2007101792.tif 000002
【特許請求の範囲】
【請求項１】
被写体光の一部を透過させ残りをファインダー系へと導くための第１反射手段と、第１反射手段ーを透過した被写体光を焦点検出系へ導くための第２反射手段と、前記第１、第２反射手段にて被写体の観察及び焦点検出を行うための第１待機位置と、被写体の撮影を行うために前記第１、第２反射手段を撮影光路から退避させた第２待機位置へと回動させる駆動手段と、前記第２反射手段にて反射した被写体光を透過し前記焦点検出系内へのごみの侵入を防ぐためのカバー部材と、前記第２反射手段に設けられゴミを取り除く為の清掃手段とを有し、前記第２反射手段の第１待機位置と第２待機位置の移動動作に連動して前記清掃手段により前記カバー部材上を清掃することを特徴とする焦点検出装置。
【請求項２】
前記カバー部材の周囲に粘着部材を設けたことを特徴とする請求項１記載の焦点検出装置。
【請求項３】
前記カバー部材に入射光を制限するためのマスクを設けたことを特徴とする請求項１記載の焦点検出装置。
【請求項４】
前記カバー部材を撮影光軸に対して、撮像面側に向けて下り傾斜させたことを特徴とする請求項１記載の焦点検出装置。
【請求項５】
電源オンまたは撮影レンズが装着されたら、前記第１、第２反射手段の第１待機位置と第２待機位置の移動動作を行うことを特徴とする請求項１記載の焦点検出装置。
【発明の詳細な説明】
【技術分野】
【０００１】
本発明は、焦点検出光学系上に付着したごみの清掃に係る焦点検出装置に関するものである。
【背景技術】
【０００２】
従来の焦点検出装置は、焦点検出光学系上に付着したごみが焦点検出精度の大幅な低下をもたらす原因となっており、特許文献１では、焦点検出光学系上に付着したごみを取り除くために設けられたブラシに対して光路中に配置された光学フィルターを動作させることにより、光学フィルター表面上に付着したごみが清掃されるようになっている。
【特許文献１】特許第２７５７３８７号公報
【発明の開示】
【発明が解決しようとする課題】
【０００３】
しかしながら、上記従来例の焦点検出装置では、光学フィルターを動作させて清掃を行う構成になっているので、光学フィルターを駆動するための機構及びスペースを確保する必要があり、焦点検出装置が大型化してしまうという問題点があった。
【０００４】
本発明は斯かる事情に鑑みてなされたものであり、大型化することなく焦点検出光路中のごみを清掃することのできるようにした焦点検出装置を提供する事を目的とする。
【課題を解決するための手段】
【０００５】
上記の目的を達成するため、請求項１の発明の焦点検出装置は、被写体光の一部を透過させ残りをファインダー系へと導くための第１反射手段と、第１反射手段を透過した被写体光を焦点検出系へ導くための第２反射手段と、第１、第２反射手段にて被写体の観察及び焦点検出を行うための第１待機位置と、被写体の撮影を行うために第１、第２反射手段を撮影光路から退避させた第２待機位置へと回動させる駆動手段と、第２反射手段にて反射した被写体光を透過し焦点検出系内へのごみの侵入を防ぐためのカバー部材と、第２反射手段に設けられゴミを取り除く為の清掃手段とを有し、第２反射手段の第１待機位置と第２待機位置の移動動作に連動して清掃手段によりカバー部材上を清掃することを特徴とする。
【０００６】
また、請求項２の発明は、請求項１に記載の焦点検出装置であって、カバー部材の周囲に粘着部材を設けたことを特徴とする。
【０００７】
また、請求項３の発明は、請求項１に記載の焦点検出装置であって、カバー部材に入射光を制限するためのマスクを設けたことを特徴とする。
【０００８】
また、請求項４の発明は、請求項１に記載の焦点検出装置であって、カバー部材を撮影光軸に対して、撮像面側に向けて下り傾斜させたことを特徴とする。
【０００９】
また、請求項５の発明は、請求項１に記載の焦点検出装置であって、電源オンまたは撮影レンズが装着されたら、第１、第２反射手段の第１待機位置と第２待機位置の移動動作を行うことを特徴とする。
【発明の効果】
【００１０】
以上のように本発明によれば、焦点検出光路中のゴミをミラー動作に連動して清掃するよう構成しているので、ゴミを清掃する為の複雑な機構及び配置スペースが必要ないので大型化することなく常に焦点検出光路中にゴミがない状態で焦点検出ができる。また、カバー部材を傾斜させて配置しているのでごみが落ちやすくなっており更に清掃したゴミを粘着部材にて固着するので、ゴミが再度焦点検出光路中に出てくる事もない。よって、ゴミにより焦点検出精度の大幅な低下を防ぐ事ができる。
【発明を実施するための最良の形態】
【００１１】
以下本発明を実施するための最良の形態を、実施例により詳しく説明する。
【実施例】
【００１２】
図１は本発明の実施形態の要部概略図である。
【００１３】
図１において、ＬＢは交換可能なレンズ本体、ＣＢはカメラ本体（撮像装置）である。１は交換可能なレンズ本体ＬＢに収納された撮影レンズ、２はＱＲミラー（クイックリターンミラー）、３は焦点検出用の反射鏡、４は焦点検出を行うＡＦユニットであり、ＡＦユニット内部へのゴミの進入を防ぐカバーを兼ね視野マスクが印刷された赤外カットフィルター４ａ、集光レンズ４ｂ、１対のレンズを１以上含んでいる２次結像レンズ４ｃ、焦点検出用の受光センサー４ｄを具備している。ここで、ＡＦユニット４は、撮影光軸に対して撮影レンズ側から下り傾斜するように取り付いている。尚本実施例では、ＡＦユニット４を傾斜させているが、赤外カットフィルター４ａのみを傾斜させてもよい。
【００１４】
５はピント板、６は正立像形成用のペンタダハプリズム、７は接眼レンズである。８は光学フィルター、９は被写体像を形成する撮像素子である。尚フィルム用カメラのときはフィルムである。１０は焦点検出用の反射鏡３に固着された清掃部材であり、腕部１０ａとブラシ部１０ｂを具備している。１１はＡＦユニット４の周囲に設けられた粘着部材であり、撮影レンズ１側に設けられた粘着シート１１ａと撮像素子９側に設けられた粘着シート１１ｂを具備している。２１はカメラ本体ＣＢ側の各種演算を行うＣＰＵ、２２はレンズ本体ＬＢ側の各種のレンズ情報を記憶している記憶装置（記憶部）、２３はレンズ駆動用のモータである。
【００１５】
次に焦点検出について説明する。焦点検出の原理は、例えば特開平７−１５９６８４号公報に開示している方法と同じで有る。被写体からの光束は撮影レンズ１を通過した後、撮影レンズ１の像側に配置され、ハーフミラーより構成されたＱＲミラー２を透過し、焦点検出用の反射鏡３で反射された後に赤外カットフィルター４ａによって可視光成分だけを選択的に透過させ赤外カットフィルター４ａに固着された視野マスク４ｅにて光束が制限され集光レンズ４ｂに入射する。このとき撮影レンズ１による被写体像は集光レンズ４ｂの近傍に形成される。その後、光束は集光レンズ４ｂによって集光され不図示の絞りで通過光量が制限された後２次結像レンズ４ｃに入射する。そして２次結像レンズ４ｃによって焦点検出用の受光センサー４ｄの上に被写体像を再結像させる構成となっている。
【００１６】
ここで焦点検出用の受光センサー４ｄには、撮影レンズ１の予定焦点面近傍に配置された、２次結像レンズ４ｃの開口近傍に配置された不図示の絞りによって光束を制限され、撮影画面の特定領域に関し、撮影レンズ１の射出瞳の一対となる特定領域を通過した光束のみが抽出されて結像される。実施形態の焦点検出装置ではこのようにして焦点検出用の受光センサー４ｄ上に形成された一対の被写体像の相対位置ずれ情報をＣＰＵ２１で算出し、ＣＰＵ２１からの信号に基づいて、モータ２３でフォーカスレンズを駆動することによって焦点検出を行う。
【００１７】
一方、撮影レンズ１によって形成される被写体像のうちＱＲミラー２によって反射された光束は、撮像素子８と光学的に共役な位置に配置されたピント板５の焦点面上に結像され、この焦点面を拡散透過した被写体像は正立像形成用のペンタダハプリズム６によって正立像となった後に接眼レンズ７によって拡大して観察可能となるように構成されている。
【００１８】
そして、ＣＰＵ２１による焦点検出結果に基づいて記憶装置２２、モータ２３等で焦点調節が行われた後、撮影に際しては、ＱＲミラー２、及び焦点検出用の反射鏡３は撮影レンズ１の光路外に回動して退避し、被写体像は赤外カットフィルターを含む光学フィルター８を介して撮像素子９上に結像され画像信号を記録するように構成している。
【００１９】
次に本発明における清掃動作を図２及び図３を用いて詳細に説明する。図２は本発明の焦点検出装置の撮影動作を示すフローチャートであり、図３は図２のフローチャートの要部を説明する為の動作図である。
【００２０】
ステップＳ１０１は、カメラ本体ＣＢの電源が入った状態で不図示のレリーズスイッチが押し下げられると、不図示の測光装置を動作させて被写体での反射光を取り込み、Ａ／Ｄ変換して測光情報を得る。そして、露出条件（絞り，シャッタースピード）の演算を行う。次にＡＦユニット４の情報によりＣＰＵ２１にて既存のアルゴリズムでデフォーカス量算出演算を行ない、所定領域の焦点検出結果に基づきレンズ駆動量を演算した後に、合焦するように記憶装置２２、モータ２３でレンズを駆動し合焦させる。
【００２１】
ステップＳ１０２は、図３（ａ）に示すＱＲミラー２及び反射鏡３が待機状態（ミラーダウン状態）から図３（ｃ）に示すＱＲミラー２及び反射鏡３が撮影光路外へ完全に退避（ミラーアップ状態）させる為にミラーアップ動作を開始させる。ステップＳ１０３は、ＱＲミラー２及び反射鏡３が撮影光路外へ完全に退避（ミラーアップ状態）したか否かを判別し、ミラーアップ状態であればステップＳ１０４へ進みミラーアップ動作を終了し、途中であればミラーアップ動作を継続する。このミラーアップ動作に伴い、図３（ｂ）に示すように清掃部材１０に具備されたブラシ部１０ｂがＡＦユニット４に具備された赤外カットフィルター４ａの表面を清掃する（ミラーアップ途中状態）。
【００２２】
ステップＳ１０５は、ステップＳ１０１にて算出された露出条件（絞り，シャッタースピード）にて撮像素子９に露光を行う。そして、撮像素子９に撮像された画像信号を所定の形態の画像データに変換して、記録媒体に画像データを記録して撮影を終了する。ステップＳ１０６は、図３（ｃ）ミラーアップ状態から図３（ａ）ミラーダウン状態状態に復帰させるミラーダウン動作を開始させる。ステップＳ１０７は、ＱＲミラー２及び反射鏡３が撮影光路中へ完全に復帰（ミラーダウン状態）したか否かを判別し、ミラーダウン状態であればステップＳ１０８へ進みミラーダウン動作を終了し、途中であればミラーダウン動作を継続する。このミラーダウン動作に伴い、図３（ｄ）に示すように、清掃部材１０に具備されたブラシ部１０ｂがＡＦユニット４に具備された赤外カットフィルター４ａの表面を清掃する（ミラーダウン途中状態）。
【００２３】
尚、上述のミラーアップ動作、ミラーダウン動作は撮影時に限定するものではく、ステップＳ１０１が電源オンまたは、レンズの装着であっても良い。
【００２４】
以上のように構成することで、ゴミを清掃する為の複雑な機構及び配置スペースが必要ないので大型化することなく、常に焦点検出光路中にゴミがない状態で焦点検出ができる。
【図面の簡単な説明】
【００２５】
【図１】本発明の実施形態の要部概略図である。
【図２】本発明の焦点検出装置の撮影動作を示すフローチャートである。
【図３】図２のフローチャートの要部を説明する為の動作図である。
【符号の説明】
【００２６】
ＬＢ    レンズ本体
ＣＢ    カメラ本体（撮像装置）
１      撮影レンズ
２      ＱＲミラー（クイックリターンミラー）
３      反射鏡
４      ＡＦユニット
４ａ    赤外カットフィルター
４ｅ    視野マスク
１０    清掃部材
１０ｂ  ブラシ部
１１    粘着部材
【図１】
2007101792.tif 000003
【図２】
2007101792.tif 000004
【図３】
2007101792.tif 000005